(57)【要約】【課題】見付け寸法が小さく、かつ窓周りのシール幅が小さい窓枠構造を提供することである。【００】【解決手段】窓枠構造１は、プレキャストコンクリート柱３とプレキャストコンクリート梁４とで形成された躯体開口部５に窓枠６が嵌め込まれ、該窓枠６の下枠９が固定ファスナー７で、上枠１０が可動ファスナー８でそれぞれ固定され、該可動ファスナー８は、上枠１０に設置された一対の支持片１８間に架設されたガイド軸１９に、プレキャストコンクリート梁４から伸びた縦片２０がスライド自在に掛け止めされ、該縦片２０は支持片１８との間に設けられたスプリング２１によりガイド軸１９の中央部付近に位置する。【選択図】    図１
2004257061.tif 000002
【特許請求の範囲】
【請求項１】
プレキャストコンクリート柱とプレキャストコンクリート梁とで形成された躯体開口部に窓枠が嵌め込まれ、該窓枠の下枠が固定ファスナーで、上枠が可動ファスナーでそれぞれ固定され、該可動ファスナーは、上枠に設置された一対の支持片間に架設されたガイド軸に、プレキャストコンクリート梁から伸びた縦片がスライド自在に掛け止めされ、該縦片は支持片との間に設けられたスプリングによりガイド軸の中央部付近に位置することを特徴とする窓枠構造。
【発明の詳細な説明】
【０００１】
【発明の属する技術分野】
本発明は窓枠構造に関するものである。
【０００２】
【従来の技術】
従来の窓枠構造として、例えば特開２００３−２７８３９号公報の発明が知られている。またこの他には、図１０に示すように、ロッキング可能なプレキャストコンクリート柱２６と、これらの柱２６間に架設されたプレキャストコンクリート梁２７とで形成された躯体開口部２８に設置された窓枠構造２９がある。この窓枠構造２９は窓枠３０の中央部の上下を固定ファスナー３１で固定し、両側をフリーとする構成が一般的である。また、図１１に示すように、層間変位に追従するためにガラス３２がスライドおよびロッキングできるように、エッジクリアランス３３を設ける必要があった。
【０００３】
【特許文献１】
特開２００３−２７８３９号公報（図１）
【０００４】
【発明が解決しようとする課題】
しかし、上記の窓枠構造は窓枠中央部の上下を固定ファスナーで固定するため、下記のような問題があった。
（１）ガラスのロッキングが起きやすくなるため、エッジクリアランスを大きくとる必要があり、窓枠の見付け寸法が大きくなる
（２）ガラスのロッキングおよびスライドが起きやすくなるため、ガラスのシール幅を大きく取る必要があった
（３）ガラスの目地幅は一番厚みのあるガラスの変位により決定するので、シール幅が狭くなると経済的になる
【０００５】
本発明はこれらの問題に鑑みてなされたものであり、その目的は、見付け寸法が小さく、かつ窓周りのシール幅が小さい窓枠構造を提供することである。
【０００６】
【課題を解決するための手段】
以上の課題を解決するための窓枠構造は、プレキャストコンクリート柱とプレキャストコンクリート梁とで形成された躯体開口部に窓枠が嵌め込まれ、該窓枠の下枠が固定ファスナーで、上枠が可動ファスナーでそれぞれ固定され、該可動ファスナーは、上枠に設置された一対の支持片間に架設されたガイド軸に、プレキャストコンクリート梁から伸びた縦片がスライド自在に掛け止めされ、該縦片は支持片との間に設けられたスプリングにより、ガイド軸の中央部付近に位置する構成である。
【０００７】
躯体が地震により水平方向に振動すると、プレキャストコンクリート柱が層間変位により傾くとともに、プレキャストコンクリート梁も水平に動く。これにより窓枠は平行四辺形に変位するが、この変位量が上枠の可動ファスナーにより小さくなる。この窓枠の変位が小さくなると、ガラスの左右へのスライドと上下のロッキングも小さくなる。このようにガラスのスライドとロッキングが小さくなると、エッジクリアランスが小さくなるため、窓枠の見付け寸法を小さくすることができる。また、ガラスのスライド量が少なくなるため、ガラスのシール幅を小さくすることができる。
【０００８】
【発明の実施の形態】
以下、本発明の窓枠構造を図面に基づいて詳細に説明する。図１は窓枠構造１を設置した建物２であり、ロッキング可能なプレキャストコンクリート柱（以下ＰＣ柱）３と、その間に架設されたプレキャストコンクリート梁（梁型ＰＣ）４とから構成される躯体開口部５に窓枠（サッシ）６が固定ファスナー７と可動ファスナー８とにより設置されている。したがって、建物２が地震による水平方向の力を受けると、図２に示すように、層間変位によりＰＣ柱３が傾いて、ＰＣ梁４が水平に動くとともに、窓枠６も平行四辺形に変形する。
【０００９】
この窓枠６は、図３に示すように、中央部の下枠９が固定ファスナー７で固定され、中央部の上枠１０が可動ファスナー８で固定され、この固定ファスナー７と可動ファスナー８との両側にスライドファスナー１１が設置されている。
【００１０】
固定ファスナー７は、図４および図５に示すように、垂直片１２と水平片１３とからなるＬ字形であり、該水平片１３がアンカーボルト１４で躯体開口部５のコンクリート１５に固定されるとともに、垂直片１２に窓枠６がボルト１６で固定されている。またスライドファスナー１１も、図６に示すように、前記と同じ垂直片１２と水平片１３とからなるＬ字形であり、該水平片１３がアンカーボルト１４で躯体開口部５のコンクリート１５に固定されるとともに、垂直片１２のボルト１６が窓枠６のスライド溝１７にスライド自在にはめ込まれている。
【００１１】
一方、可動ファスナー８は、図７に示すように、上枠１０に設置された一対の支持片１８間に架設されたガイド軸１９の中央部に、ＰＣ梁４から伸びた縦片２０がスライド自在に掛け止めされ、該縦片２０と支持片１８との間に設けられたスプリング２１によって、縦片２０がガイド軸１９の中央部（または中央部付近）に位置するようになっている。
したがって、建物２が地震により水平方向に振動すると、上下の梁型ＰＣも水平方向に変位し、これに窓枠６が可動ファスナー８で追従するので、窓枠６の平行四辺形への変形が小さくなる。
【００１２】
図８は、従来の窓枠構造と本願発明の窓枠構造との窓枠およびガラスの変位を比較した概念図である。
通常、ＪＡＳＳ（Ｊａｐａｎｅｓｅ  Ａｒｃｈｉｔｅｃｔｕｒａｌ  Ｓｔａｎｄａｒｄ  Ｓｐｅｃｉｆｉｃａｔｉｏｎ）では、１／３００の変位でシールが切れないこと、１／１００の変位でガラス２２が脱落、割れないことを規定している。また２成分形シリコーン系のシーリング材の設計せん断変形率εの標準値は６０％と規定されている。
【００１３】
したがって、図８の（１）に示す従来の窓枠構造（高さが２０００ｍｍ）の場合、１／３００の変位のとき、ガラス２２は１３．３ｍｍ変位する。一方、シール幅はせん断変形率εが６０％なので、１３．３／０．６＝２２．２ｍｍ必要と
なる。
【００１４】
これに対して、（２）に示す本願発明の窓枠構造１におけるガラス２２の変位は、ＰＣ梁３と窓枠６とが５ｍｍだけずれるようにすると、１／３００の変位のときが１３．３−０．５＝８．３ｍｍ変位し、シール幅が８．３／０．６＝１３．８ｍｍになる。
【００１５】
よって、本願発明の窓枠構造１はガラスの目地幅を、大幅に低減することができるので経済的になる。
【００１６】
また図９は、従来の窓枠構造と本願発明の窓枠構造１とのエッジクリアランス２３の違いを検討した概念図である。
従来の窓枠構造では１／１００の変位でガラス２２がスライドおよびロッキングして、上枠１０に当たらないようにする必要があった。そして１／３００の変位までは、ガラス２２がスライドするものと考える。また１／３００の変位では、エッジクリアランス２３は１３．３ｍｍが必要になる。また１／３００〜１／１００の変位では、さらに２７ｍｍだけロッキングゴム２４に押されてガラス２２が上側にロッキングする。
【００１７】
したがって、ロッキング高さは、２７×２５００／２０００＝３３．７ｍｍとなり、エッジクリアランス２３は３３．７ｍｍが必要になる。
【００１８】
これに対して、（２）に示す本願発明の窓枠構造１は、ＰＣ梁４と窓枠６とが５ｍｍだけずれるので、１３．３＋５＝１８．５ｍｍまでガラス２２がスライドできる。このとき、水平方向のエッジクリアランス２３は１３．３ｍｍである。
またロッキングを始めるときの水平変位は、１８．５ｍｍ〜４０ｍｍとなるため、左上のロッキングゴム２４が２１．５ｍｍ押すことになる。
【００１９】
したがって、ロッキング高さは、２１．５×２５００／２０００＝２６．９ｍｍとなり、エッジクリアランス２３は２６．９ｍｍが必要になる。
【００２０】
よって、本願発明の窓枠構造１は、窓枠６の見付け寸法を約６．８ｍｍ程度小さくすることができるので経済的になる。
【００２１】
【発明の効果】
窓枠の見付け寸法を小さくし、かつ窓周りのシール幅を小さくすることができる。
【図面の簡単な説明】
【図１】躯体開口部に本発明の窓枠構造を設置した図であり、（１）は正面図、（２）はＡ−Ａ線断面図である。
【図２】窓枠構造が水平変位した正面図である。
【図３】窓枠構造の正面図である。
【図４】図３のＢ−Ｂ線断面図である。
【図５】固定ファスナーを示したものであり、（１）は正面図、（２）は（１）のＣ−Ｃ線断面図である。
【図６】スライドファスナーを示したものであり、（１）は正面図、（２）は（１）のＤ−Ｄ線断面図である。
【図７】可動ファスナーを示したものであり、（１）は正面図、（２）は（１）のＥ−Ｅ線断面図である。
【図８】（１）および（２）は従来の窓枠構造と本願発明の窓枠構造との窓枠およびガラスの変位の違いを比較した概念図である。
【図９】（１）および（２）は従来の窓枠構造と本願発明の窓枠構造のエッジクリアランスの違いを検討した概念図である。
【図１０】従来の窓枠構造の断面図である。
【図１１】（１）〜（３）は従来の窓枠構造の変位を示した概念図である。
【符号の説明】
１、２９  窓枠構造
２  建物
３、２６  ＰＣ柱
４、２７  ＰＣ梁
５、２８  躯体開口部
６、３０  窓枠
７、３１  固定ファスナー
８  可動ファスナー
９  下枠
１０  上枠
１１  スライドファスナー
１２  垂直片
１３  水平片
１４  アンカーボルト
１５  コンクリート
１６  ボルト
１７  スライド溝
１８  支持片
１９  ガイド軸
２０  縦片
２１  スプリング
２２、３２  ガラス
２３、３３  エッジクリアランス
２４  ロッキングゴム
【図１】
2004257061.tif 000003
【図２】
2004257061.tif 000004
【図３】
2004257061.tif 000005
【図４】
2004257061.tif 000006
【図５】
2004257061.tif 000007
【図６】
2004257061.tif 000008
【図７】
2004257061.tif 000009
【図８】
2004257061.tif 000010
【図９】
2004257061.tif 000011
【図１０】
2004257061.tif 000012
【図１１】
2004257061.tif 000013